(57)【要約】【課題】容器を著しく破損せず、内容物を破損せず、消費者にとって容易に開封可能な開封構造を備えた筒状容器（好ましくは筒状紙製容器）を提供することである。【解決手段】開封構造を備えた筒状容器であって、筒状容器の周面上に、ほぼ弧状のプッシュ部を含むジッパー部を設け、前記プッシュ部の反対側に罫線を有するほぼ弧状の折り部を設けた開封構造を備えたことを特徴とする開封構造を備えた筒状容器とする。【選択図】図１
2008056249.tif 000002
【特許請求の範囲】
【請求項１】
開封構造を備えた筒状容器であって、
筒状容器の周面上に、ほぼ弧状のプッシュ部を含むジッパー部を設け、
前記プッシュ部の反対側に罫線を有するほぼ弧状の折り部を設けた開封構造を備えたことを特徴とする開封構造を備えた筒状容器。
【請求項２】
前記プッシュ部は、ミシン目である請求項１に記載の開封構造を備えた筒状容器。
【請求項３】
前記折り部は、罫線からなる請求項１または請求項２に記載の開封構造を備えた筒状容器。
【請求項４】
前記折り部は、前記プッシュ部よりも弧状の径が大きい請求項１乃至請求項３のいずれかに記載の開封構造を備えた筒状容器。
【請求項５】
筒状容器の周面上に前記ジッパー部を片端とした折込み罫線を設ける請求項１乃至請求項４のいずれかに記載の開封構造を備えた筒状容器。
【発明の詳細な説明】
【技術分野】
【０００１】
本発明は、開封構造を備えた筒状容器に関し、詳しくは、少なくとも、胴部が、好ましくは、紙で構成され、天部・底部は、好ましくは、紙・プラスチック・金属などで構成された、好ましくは、おおよそ円柱形をした開封構造を備えた筒状容器に関するものである。
【背景技術】
【０００２】
筒状容器の開封方法としては、例えば、特許文献１（特開２００４−２６１７８号公報）に記載されるように、特定のジッパー構造を設けてこれにより開封する方法や、特許文献２（実開昭５３−１６４５４７号公報）に記載されるように、摘み舌片を設けてこの引き上げまたは押し込みにより開封する方法がある。
このように、容器の開封方法としてはジッパータイプやプッシュタイプがある。ジッパータイプは切取り後に切取り部がゴミとなるため、消費者にとって不便である。それに対して、プッシュタイプは２アクションで開封することが可能で消費者にとって便利である。
ところが、筒状の紙製容器の方法としてプッシュタイプを採用すると、特に、必要流通強度をもつ切れ刃とツナギの長さに設計する場合、紙の柔軟性によりツナギが切れず開封する前に容器が凹んでしまうため、内容物を破損してしまう危険性がある。
また、押し込んで指を入れた後、上部を引き上げる際に凹んだ部分から胴部を破ってしまい開封しにくくなる。
【特許文献１】特開２００４−２６１７８号公報
【特許文献２】実開昭５３−１６４５４７号公報
【発明の開示】
【発明が解決しようとする課題】
【０００３】
解決しようとする問題点は、筒状容器の開封構造が、容器を著しく破損し、内容物を破損してしまう点である。従って、本発明の目的は、容器を著しく破損せず、内容物を破損せず、消費者にとって容易に開封可能な開封構造を備えた筒状容器を提供することである。
【課題を解決するための手段】
【０００４】
本発明は、開封構造を備えた筒状容器であって、筒状容器の周面上に、ほぼ弧状のプッシュ部を含むジッパー部を設け、前記プッシュ部の反対側に罫線を有するほぼ弧状の折り部を設けた開封構造を備えたことを特徴とする開封構造を備えた筒状容器である。
この場合、前記プッシュ部は、ミシン目であることが好ましい。
また、前記折り部は、罫線からなることが好ましい。
そして、前記折り部は、前記プッシュ部よりも弧状の径が大きいことが好ましい。
また、筒状容器の周面上に前記ジッパー部を片端とした折込み罫線を設けることが好ましい。
【発明の効果】
【０００５】
本発明の筒状容器の開封構造によれば、凸状、特に弧状、好ましくは、ほぼ半円形に切刃とツナギで構成されたミシン目を有するプッシュ部により、容器胴部を凹ませることなく開封可能になり、半円形の上部端部より、好ましくは、それぞれ左右に少し上方に傾けたジッパー部、および、好ましくは、半円形プッシュ部とジッパー部の上部に、ジッパー部の概ね上部先端から描かれ、プッシュ部とは上下逆向きに、凸状、特に弧状、好ましくは、半円状の罫線（または罫線と半切れ）で構成された折り部により、特に、この折り部により、上部を引上げて開封する際に胴部を破らずに開封することが可能になるという利点を有する。この構造により、消費者は、筒状の容器を著しく破損することなく、中身を破損することなく、容易に開封可能となる。
また、罫線により折り込んで再封入部を形成し、径が狭く（小さく）なるので、容器を開封後、再度封入するのも容易となる。
【発明を実施するための最良の形態】
【０００６】
筒状容器の開封構造として、容器を著しく破損せず、内容物を破損せず、消費者にとって容易に開封可能な構造を検討したところ、図１のような特徴を持つ構造を提案するに至った。図２は、図１の特徴をさらに詳細に示すものである。
そして、その特徴点は、以下のとおりである。
（１）好ましくは、ほぼ半円形に切刃とツナギで構成されたミシン目からなるプッシュ部Ａを有し、
（２）好ましくは、半円形の上部端部よりそれぞれ左右に少し上方に、傾けたジッパー部Ｂを設け、
（３）半円形プッシュ部Ａとジッパー部Ｂの上部に、ジッパー部Ｂの概ね上部先端から描かれ、プッシュ部Ａとは、好ましくは、上下逆向きの半円状の罫線（または罫線と半切れ）で構成された折り部Ｃが設けられた筒状容器の開封構造。
【０００７】
本発明における筒状容器１０は、少なくとも胴部が紙で構成され、天部・底部は、紙・プラスチック・金属などで構成された、おおよそ円柱形をした筒状紙製容器であることが好ましい。
【０００８】
プッシュ部Ａのミシン目、即ち切れ目線は、図示のように、半円の最下部、即ちプッシュ時に最初に最も力がかかる部分は切刃２１にし、その後にツナギ２５を設ける構造がよい。なお、プッシュ部Ａには、折り曲げを容易にするために、仮想水平線としての罫線２７が設けられている。プッシュ部Ａの位置は、背貼り部１８がある場合には、図示のように、背貼り部１８の重なっている紙の端部が開封構造の中央に位置するようにするか、または、背貼り部１８とは反対方向に開封構造が位置するのが望ましい。要するに、背貼り部１８、換言すれば、強度のある部分が開封の最初か最後にくることが望ましく、途中に背貼り部１８があると開封の左右のバランスがとりづらく、紙向けを生じるなどの不具合が起き易い。
この場合、プッシュ部Ａは、ジッパー部Ｂに対して、凸状、即ち弧状に設けられていればよく、図示例では、半円状に形成されているが、その他、半楕円形状や、三角、四角等の多角形形状やその角部にＲを持たせた形状であってもよい。
【０００９】
ジッパー部Ｂは、図示例では、くの字状の半切れ３１に形成されている。
そして、このジッパー部Ｂは、筒状容器の周面上に、周状にそのほぼ全域に亘って形成される。
このジッパー部Ｂの所定箇所には、プッシュ部Ａが設けられている。ジッパー部Ｂの開始部分は、プッシュ部Ａに対して、所定の角度で、傾けて配置することが好ましい。ジッパー部Ｂの開始位置の垂線に対するプッシュ部Ａの仮想水平線２７の図示の角度θは、１０５°〜１３０°が好ましい。これにより、確実な開封が可能となる。角度θがこれ以外では、開封が円滑にできない傾向がある。ジッパー部Ｂの始端に、プッシュ部Ａの先端が直接当接していると、開封が円滑にできなくなる傾向があるからである。
【００１０】
さらに、折り部Ｃは、プッシュ部Ａより大径とされる。これにより、確実な開封が可能となる。
この折り部Ｃは、ジッパー部Ｂの所定の位置に当接する。ジッパー部Ｂの傾斜の途中に折り部Ｃの円弧先端があると、折り部Ｃが円弧状に凹まずにジッパー部Ｂの先端（即ち、ジッパー部Ｂの直線部分に交わる部分）から凹み、紙目に沿って上部に紙ムケして、ひいては破れてしまう傾向があるからである。
逆に、ジッパー部Ｂの直線部分に折り部Ｃの先端があると、ジッパー部Ｂの先端とジッパー部Ｂの直線部分が交わる部分のツナギ部がうまく破れにくい傾向があるからである。また、この交差部のツナギ部を省略すると、ジッパー部の強度が弱くなってしまうおそれがある傾向があるからである。
図示例では、半切れ４１と罫線４３のミシン目から折り部Ｃが形成されるが、折り部Ｃが罫線だけでない場合の刃の組合せは、ジッパー部Ｂと交わる部分は半切れなどの刃ではなく罫線が望ましい。交わった部分に刃があると、開封時に刃の部分からの紙剥けしてしまい、意味をなさなくなるからである。
【００１１】
さらには、図示例の構造では、再封入部Ｆを付け加えた例が示される。
この再封入部Ｆは、図示のように、ジッパー部Ｂの、この場合は好ましくは、下側に当接する3角形の稜線および中心線を形成する３本の罫線５１，５２，５３であることが好ましい。
【００１２】
このような構成で、プッシュ部Ａを指で押すと、図３に示されるように、折り部Ｃが撓み、同時に、ジッパー部Ｂが破断して、開封がなされる。開封後、再度内容物を再封入したいときは、再封入部Ｆの罫線に沿って、折り曲げて、容易に元の形に戻すことができる。罫線５１，５２，５３を折り曲げ再封入部Ｆを形成する。この再封入部Ｆを形成することにより径が小さくなり容易にかぶせることができる。この再封入部Ｆは、１つだけ設けることもできるが、図示のように、互いに対向する位置に２つの再封入部Ｆ，Ｆを設けることが好ましい。この位置は、図示のように、プッシュ部Ａおよび折り部Ｃとは異なる位置に設けられる。
【実施例】
【００１３】
図示の構造において、開封構造の寸法を直径７５ｍｍの筒状容器に対し、プッシュ部Ａが半径約１１ｍｍ、折り部Ｃが半径約２４ｍｍであるとき、開封し易い寸法であることが解かった。
【産業上の利用可能性】
【００１４】
筒状紙製容器に収納した製品において、容器自体および中身の破損のない開封構造が実現するので、そのような用途において有用である。
【図面の簡単な説明】
【００１５】
【図１】本発明の開封構造を説明するための展開図である。
【図２】本発明の開封構造をさらに詳細に説明するための拡大展開図である。
【図３】本発明の開封構造の開封状態を説明するための斜視図である。
【符号の説明】
【００１６】
Ａ    プッシュ部
Ｂ    ジッパー部
Ｃ    折り部
Ｆ    再封入部
１０  筒状容器
１８  背貼り部
２１  切刃
２５  ツナギ
【図１】
2008056249.tif 000003
【図２】
2008056249.tif 000004
【図３】
2008056249.tif 000005